(57)【要約】【課題】  釣等で腰掛として使用する場合でも、腰掛けたままでクーラボックスに対する出入を行えるようにして利便性を高めるとともに、クーラボックスの中に沢山の収容物が重なった状態で収容されている場合でも、下側の収容物を容易に取出せるようにして使い勝手を高める。【解決手段】  上方に開口した開口部Ｐｆを有するボックス本体部２と、開口部Ｐｆにヒンジ部４…を介して開閉可能に付設した蓋部３とを有するクーラボックス１ａ，１ｂを構成するに際して、ボックス本体部２の側面部２ｓに、横方に開口した補助開口部Ｐｓを設けるとともに、この補助開口部Ｐｓに、ヒンジ部６…を介して開閉可能な横扉部５を付設する。【選択図】  図１
2005329962.tif 000002
【特許請求の範囲】
【請求項１】
上方に開口した開口部を有するボックス本体部と、前記開口部にヒンジ部を介して開閉可能に付設した蓋部とを有するクーラボックスにおいて、前記ボックス本体部の側面部に、横方に開口した補助開口部を設けるとともに、この補助開口部に、ヒンジ部を介して開閉可能な横扉部を付設してなることを特徴とするクーラボックス。
【請求項２】
前記横扉部は、下端辺をヒンジ部により前記ボックス本体部に取付けることを特徴とする請求項１記載のクーラボックス。
【請求項３】
前記横扉部と前記補助開口部間を断面がＵ形となる防水性を有する蛇腹シートにより結合することを特徴とする請求項２記載のクーラボックス。
【請求項４】
前記横扉部は、横端辺をヒンジ部により前記ボックス本体部に取付けることを特徴とする請求項１記載のクーラボックス。
【請求項５】
前記ボックス本体部の内部に前記補助開口部を通して出入可能な引出式のインナボックスを収容することを特徴とする請求項４記載のクーラボックス。
【発明の詳細な説明】
【技術分野】
【０００１】
本発明は、ボックス本体部における上方に開口した開口部にヒンジ部を介して開閉可能に付設した蓋部を有するクーラボックスに関する。
【背景技術】
【０００２】
従来、上方に開口した開口部を有するボックス本体部と、この開口部にヒンジ部を介して開閉可能に付設した蓋部とを有するハードタイプのクーラボックスは知られており、特に、ボックス本体部に付設した蓋部を開閉する際に、内部の冷気が外部に逃げてしまう不具合を回避したり蓋部の有効利用を図るため、蓋部に対してより小さい補助蓋を付設したクーラボックスも、例えば、特開平６−２１９４７５号公報，実開昭６４−１３７１号公報及び実開平５−２０５７０号公報等で知られている。
【特許文献１】特開平６−２１９４７５号
【特許文献２】実開昭６４−１３７１号
【特許文献３】実開平５−２０５７０号
【発明の開示】
【発明が解決しようとする課題】
【０００３】
しかし、上述した蓋部に対して補助蓋を付設した従来のクーラボックスは、次のような不具合があった。
【０００４】
第一に、この種のクーラボックスは、釣等において腰掛に利用する場合も少なくないが、補助蓋は、ボックス本体部の上端に付設した蓋部の一部を利用して構成したり或いは蓋部に隣接して設けているため、腰掛けた状態では、補助蓋を開閉できず、結局、補助蓋を開閉する際には、その都度、立ち上がる必要があり、腰掛として利用した際には、極めて不便となる。
【０００５】
第二に、クーラボックスの中に沢山の収容物が重なった状態で収容されている場合には、補助蓋を開いても下側に収容された収容物が取出しにくいとともに、取出しができない場合もあり、十分に機能させることができないなど、使い勝手に難がある。
【０００６】
本発明は、このような背景技術に存在する課題を解決したクーラボックスの提供を目的とするものである。
【課題を解決するための手段】
【０００７】
本発明は、上述した課題を解決するため、上方に開口した開口部Ｐｆを有するボックス本体部２と、開口部Ｐｆにヒンジ部４…を介して開閉可能に付設した蓋部３とを有するクーラボックス１ａ，１ｂを構成するに際して、ボックス本体部２の側面部２ｓに、横方に開口した補助開口部Ｐｓを設けるとともに、この補助開口部Ｐｓに、ヒンジ部６…を介して開閉可能な横扉部５を付設してなることを特徴とする。
【０００８】
この場合、発明の好適な態様により、横扉部５は、下端辺５ｄをヒンジ部６…によりボックス本体部２に取付けてもよいし、横端辺５ｓをヒンジ部６…によりボックス本体部２に取付けてもよい。横扉部５の下端辺５ｄを取付ける場合には、横扉部５と補助開口部Ｐｓ間を断面がＵ形となる防水性を有する蛇腹シート７により結合することが望ましい。一方、横扉部５の横端辺５ｓを取付ける場合には、ボックス本体部２の内部に、補助開口部Ｐｓを通して出入可能な引出式のインナボックス８を収容することが望ましい。
【発明の効果】
【０００９】
このような構成を有する本発明に係るクーラボックス１ａ，１ｂによれば、次のような顕著な効果を奏する。
【００１０】
（１）  釣等で腰掛として使用する場合であっても、腰掛けたままでクーラボックス１ａ，１ｂに対する出入を行うことができ、利便性に優れる。
【００１１】
（２）  クーラボックス１ａ，１ｂの中に沢山の収容物が重なった状態で収容されている場合であっても、下側の収容物を容易に取出すことができ、使い勝手に優れる。
【００１２】
（３）  好適な態様により、横扉部５の下端辺５ｄをヒンジ部６…によりボックス本体部２に取付けるとともに、横扉部５と補助開口部Ｐｓ間を断面がＵ形となる防水性を有する蛇腹シート７により結合すれば、補助開口部Ｐｓにおける出し入れに支障を与えることなく側面部２ｓに補助開口部Ｐｓを設けたことにより発生する虞れのある液漏れ等の不具合を回避できる。
【００１３】
（４）  好適な態様により、横扉部５の横端辺５ｓをヒンジ部６…によりボックス本体部２に取付けるとともに、ボックス本体部２の内部に補助開口部Ｐｓを通して出入可能な引出式のインナボックス８を収容すれば、側面部２ｓに補助開口部Ｐｓを設けたことにより発生する虞れのある液漏れ等の不具合を回避でき、しかも、補助開口部Ｐｓにおける出し入れに無理な姿勢を強いられたり、収容物を目で見て確認できないなどの不具合を回避できる。
【発明を実施するための最良の形態】
【００１４】
次に、本発明に係る最良の実施形態を挙げ、図面に基づき詳細に説明する。
【００１５】
まず、第一実施形態に係るクーラボックス１ａの構成及び機能について、図１〜図４を参照して説明する。
【００１６】
第一実施形態に係るクーラボックス１ａはボックス本体部２を備える。このボックス本体部２は、全体を断熱材により形成するとともに、上方に開口した開口部Ｐｆを有する直方体状に構成する。また、開口部Ｐｆには、断熱材により平板状に形成した蓋部３を付設する。この場合、蓋部３の後端辺３ｒは、左右一対のヒンジ部（蝶番部）４…を介してボックス本体部２の後上端辺に取付ける。これにより、蓋部３を、図３に示すように、ヒンジ部４…を支点に回動変位させることにより開口部Ｐｆを開閉することができる。なお、１１は蓋部３の上面に設けた取手部、１２…は閉じた蓋部３をロックする左右一対のラッチ部、１３は蓋部３の下面に取付けたパッキン部をそれぞれ示す。以上の構成がクーラボックス１ａの基本構成となる。
【００１７】
一方、ボックス本体部２の側面部２ｓには、横方に開口した補助開口部Ｐｓを設ける。また、この補助開口部Ｐｓには、断熱材により平板状に形成した横扉部５を付設する。この場合、横扉部５の下端辺５ｄは、前後一対のヒンジ部（蝶番部）６…を介して補助開口部Ｐｓの下方に位置する側面部２ｓ上に取付ける。これにより、横扉部５を、図４に示すように、ヒンジ部６…を支点にして縦方向に回動変位させることにより補助開口部Ｐｓを開閉することができる。なお、１４…は閉じた横扉部５をロックする前後一対のラッチ部、１５は横扉部５の内面に取付けたパッキン部をそれぞれ示す。
【００１８】
さらに、横扉部５と補助開口部Ｐｓ間は、断面がＵ形となる防水性を有する蛇腹シート７により結合する。この場合、補助開口部Ｐｓの内縁部に、段差による収納凹部１６を形成し、この収納凹部１６内に蛇腹シート７の一端を固定する。これにより、蛇腹シート７は、アコーディオン状に伸縮するため、横扉部５を閉じた際には、図２に示すように、蛇腹シート７は折畳まれて収納凹部１６に収容されるとともに、横扉部５を開いた際には、図４に示すように、横扉部５の回動変位に従って広がる。よって、蛇腹シート７は、横扉部５と補助開口部Ｐｓ間の隙間を埋めるチャンネルとして機能し、補助開口部Ｐｓにおける出し入れに支障を与えることなく側面部２ｓに補助開口部Ｐｓを設けたことにより発生する虞れのある液漏れ等の不具合を回避できる。
【００１９】
次に、第二実施形態に係るクーラボックス１ｂの構成及び機能について、図５〜図７を参照して説明する。
【００２０】
第二実施形態に係るクーラボックス１ｂは、第一実施形態に係るクーラボックス１ａに対して、横扉部５の開閉方向を異ならせたものである。即ち、第二実施形態に係るクーラボックス１ｂは、ボックス本体部２の側面部２ｓに設けた補助開口部Ｐｓに対して、横扉部５の横端辺５ｓを、上下一対のヒンジ部（蝶番部）６…を介して補助開口部Ｐｓの後方に位置する側面部２ｓ上に取付けたものであり、これにより、横扉部５を、図７に示すように、ヒンジ部６…を支点にして横方向に回動変位させることにより補助開口部Ｐｓを開閉することができる。なお、１４…は、閉じた横扉部５をロックする上下一対のラッチ部を示す。さらに、ボックス本体部２の内部には、補助開口部Ｐｓを通して出入可能な引出式のインナボックス８を収容する。インナボックス８は防水性を有する素材により上方に開口させる。１７はインナボックス８の側面に取付けたグリップを示す。
【００２１】
よって、横扉部５を開いた際には、図７に示すように、グリップ１７を手で持ち、補助開口部Ｐｓを通してインナボックス８を出入することができる。これにより、側面部２ｓに補助開口部Ｐｓを設けたことにより発生する虞れのある液漏れ等の不具合を回避でき、しかも、補助開口部Ｐｓにおける出し入れに無理な姿勢を強いられたり、収容物を目で見て確認できないなどの不具合を回避できる。
【００２２】
なお、第二実施形態に係るクーラボックス１ｂにおけるその他の構成及び機能は、前述した第一実施形態に係るクーラボックス１ａと同じである。したがって、図５〜図７において、図１〜図４と同一部分には同一符号を付してその構成を明確にするとともに、その詳細な説明は省略する。
【００２３】
このような各実施形態に係るクーラボックス１ａ，１ｂによれば、ボックス本体部２の側面部２ｓに、横方に開口した補助開口部Ｐｓを設けるとともに、この補助開口部Ｐｓに、ヒンジ部６…を介して開閉可能な横扉部５を付設したため、釣等で腰掛として使用する場合であっても、腰掛けたままでクーラボックス１ａ，１ｂに対する出入を行うことができ、利便性に優れるとともに、クーラボックス１ａ，１ｂの中に沢山の収容物が重なった状態で収容されている場合であっても、下側の収容物を容易に取出すことができ、使い勝手に優れる。
【００２４】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、例示の実施形態では、ボックス本体部２の左側の側面部２ｓに設けた場合を示したが、右側、前側、後側の各側面部にも設けることができるとともに、四側面部の一つ又は二つ以上に設けることができる。
【図面の簡単な説明】
【００２５】
【図１】本発明の第一実施形態に係るクーラボックスの外観斜視図、
【図２】同クーラボックスの断面側面図、
【図３】同クーラボックスの横扉部をクーラボックスの内部側から見た構成図、
【図４】同クーラボックスの横扉部を開いた状態の拡大断面側面図、
【図５】本発明の第二実施形態に係るクーラボックスの外観斜視図、
【図６】同クーラボックスの断面側面図、
【図７】同クーラボックスの横扉部を開いた状態の断面平面図、
【符号の説明】
【００２６】
１ａ  クーラボックス
１ｂ  クーラボックス
２    ボックス本体部
２ｓ  ボックス本体部の側面部
３    蓋部
４…  ヒンジ部
５    横扉部
５ｄ  横扉部の下端辺
５ｓ  横扉部の横端辺
６…  ヒンジ部
７    蛇腹シート
８    インナボックス
Ｐｆ  開口部
Ｐｓ  補助開口部
【図１】
2005329962.tif 000003
【図２】
2005329962.tif 000004
【図３】
2005329962.tif 000005
【図４】
2005329962.tif 000006
【図５】
2005329962.tif 000007
【図６】
2005329962.tif 000008
【図７】
2005329962.tif 000009